【手続補正書】
【提出日】平成15年3月3日(2003.3.3)
【手続補正１】
【補正対象書類名】明細書
【補正対象項目名】特許請求の範囲
【補正方法】変更
【補正の内容】
【特許請求の範囲】
【請求項１】
電解コンデンサ（２６５）内で使用するための陽極層を作製する方法であって、
薄い金属陽極箔を用意するステップ、
前記薄い金属陽極箔をエッチングして薄い金属陽極箔の一部分を通り伸長する孔（１９２）を形成し、それによって表面積を増化したエッチング陽極箔（１８５／１９０）を形成するステップ、
前記エッチングするステップに続いて、前記エッチング陽極箔（１８５／１９０）にある形状を切り、陽極シート縁部と陽極シート厚によって境界を画された第１及び第２の向い合う主要表面（１８６、１８８）を有するエッチング陽極シートを用意するステップ、
前記第１及び第２の向い合う主要表面（１８６、１８８）の間で及び前記エッチング陽極シートの前記陽極シート厚を介して伸長する複数のスルーホール（２０２）を形成するステップ、
前記エッチング陽極シート（１８５／１９０）の孔及びスルーホール表面を覆う酸化物層を形成するステップ、及び
複数のエッチング陽極シートを陽極層（１７０）の形に組み立てるステップを含むことを特徴とする方法。
【請求項２】
前記金属箔を用意するステップはアルミニウム箔を用意するステップを含む請求項１の方法。
【請求項３】
前記スルーホールを形成するステップは比較的均一な距離だけ互いに離間された複数のスルーホールを形成するステップを含む請求項２の方法。
【請求項４】
前記スルーホールを形成するステップは比較的均一な距離だけ互いに離間された複数のスルーホールを形成するステップを含む請求項１の方法。
【請求項５】
前記複数のスルーホールを形成するステップはパンチング、機械的穴あけ及びレーザ穿孔から選択されたグループの１つを更に含む請求項１の方法。
【請求項６】
前記スルーホールは、等価直列抵抗を最小とし且つ静電容量を最大とするように、横断面及び長さのサイズが決められ、密に配分される請求項１の方法。
【請求項７】
電解コンデンサ（２６５）を作製する方法であって、
（ａ）薄い金属陽極箔を用意するステップ、
（ｂ）前記薄い金属陽極箔をエッチングして薄い金属陽極箔の一部分を通り伸長する孔（１９２）を形成し、それによって表面積を増すエッチング陽極箔（１８５／１９０）を形成するステップ、
（ｃ）前記エッチング陽極箔を切り分け、陽極シート縁部と陽極シート厚によって境界を画された第１及び第２の向い合う主要表面（１８６、１８８）を有するエッチング陽極シートを用意するステップ、
（ｄ）前記第１及び第２の向い合う主要表面（１８６、１８８）の間で及びエッチング陽極シート（１８５／１９０）の陽極シート厚を通り伸長する複数のスルーホール（２０２）を形成するステップ、
（ｅ）前記エッチング陽極シート（１８５／１９０）の孔（１９２）及びスルーホールの表面（２０２）を覆う酸化物層を形成するステップ、
（ｆ）複数のエッチング陽極シート（１８５／１９０）を陽極層（１７０）の形に組み立てるステップ、
（ｇ）セパレータ層（１８０）及び陰極シート（１７５）を用意するステップ、
（ｈ）前記陽極層（１７０）の第１の主要表面と前記陰極シート（１７５）の１つの主要表面との間で前記セパレータ層（１８０）を組み立て、前記陽極層及び前記陰極シート（１７５）の露出した第２の主要表面群を有するコンデンサ層（２２５）を形成するステップ、
（ｉ）前記コンデンサ層（２２５）を受け取るようにサイズ決めされたコンデンサ内部室を有するコンデンサ・ケース（９０）を用意するステップ、
（ｊ）前記コンデンサ層（２２５）を前記コンデンサ内部室内に挿入するステップ、及び
（ｋ）前記コンデンサ内部室を電解質で充填し、前記コンデンサ層（２２５）を電解質で浸漬するステップを含むことを特徴とする方法。
【請求項８】
請求項７の方法であって、
他の複数のセパレータ層を用意するステップ、
各コンデンサ層の前記陽極層及び陰極シートの前記露出した第２の主要表面群の１つを覆う少なくとも１つのセパレータ層を付着させる追加ステップを含み、ステップ（ａ）〜（ｈ）に従って複数のコンデンサ層を形成するステップ、
前記複数のコンデンサ層を電極積重ねアセンブリの形に積み重ねるステップを更に含み、
すべての陽極層及び陰極シートが少なくとも１つのセパレータ層によって分離される方法。
【請求項９】
前記スルーホールを形成するステップは比較的均一な距離だけ互いに離間された複数のスルーホールを形成するステップを更に含む請求項８の方法。
【請求項１０】
スルーホールを形成する前記ステップが、比較的均一な距離だけ互いに離間された前記複数のスルーホールを形成するステップを更に含む請求項７の方法。
【請求項１１】
前記金属箔を用意するステップはアルミニウム箔を用意するステップを含む請求項７の方法。
【請求項１２】
前記複数のスルーホールを形成するステップはパンチング、機械的穴あけ、及びレーザ穿孔から選択されたグループの１つを更に含む請求項７の方法。
【請求項１３】
前記スルーホールは、等価直列抵抗を最小限に抑え、且つ静電容量を最大化するように、横断面及び長さがサイズ決めされ、密度が配分される、請求項７の方法。
【請求項１４】
層状アルミニウム電解コンデンサ（２６５）において、
向い合う主要陽極層表面と前記向い合う主要表面の周縁部の周りの陽極層縁部とを有し、陽極シートの一部分まで伸長する孔（１９２）を形成することによって表面積を増すようにエッチングされた少なくとも１枚の薄い金属陽極シート（１８５／１９０）から形成された陽極層であって、前記エッチング陽極シート（１８５／１９０）が、陽極シート縁部及び陽極シート厚によって境界を画された第１及び第２の向い合う主要陽極シート表面（１８６、１８８）を有し、前記エッチング陽極シート（１８５／１９０）が、前記エッチング陽極シート（１８５／１９０）の前記陽極シート厚を通り、前記第１及び第２の向い合う主要表面（１８６、１８８）の間で伸長するように穴あけされた複数のスルーホール（２０２）と、前記孔及びスルーホールの露出した表面を覆う酸化物層とを有する陽極層と、
陰極層（１７５）と、
前記陽極層（１７０）と前記陰極層（１７５）の間で位置決めされたセパレータ層（１８０）と、
電解質と、を含むコンデンサ。
【請求項１５】
複数の陽極層、陰極層、セパレータ層は、積み重ねられて、電気結合された前記陽極層及び電気結合された前記陰極層を有する電極積重ねアセンブリを形成する請求項１４のコンデンサ。
【請求項１６】
前記電極積重ねアセンブリ及び前記電解質を封入するためのケース内部室を有するコンデンサ・ケースと、
前記結合された陽極層から前記ハウジング外部の陽極接続端子に延びる陽極電気接点と、
前記結合された陰極層から前記ハウジング外部に延びる陰極電気接点とを更に含む、請求項１５のコンデンサ。
【請求項１７】
前記陽極層は、隣接する積重ね陽極シートの第１及び第２の主要陽極シート表面が少なくとも部分的に接触するように積み重ねられた複数の前記陽極シートから形成される請求項１５のコンデンサ。
【請求項１８】
前記複数のスルーホールは、比較的均一な距離だけ互いに離間される請求項１４のコンデンサ。
【請求項１９】
前記金属陽極シートはアルミニウム箔を含む請求項１４のコンデンサ。
【請求項２０】
前記複数のスルーホールは、パンチング、機械的穴あけ、レーザ穿孔から選択されたグループの１つによって形成される請求項１４のコンデンサ。
【請求項２１】
前記スルーホールは、等価直列抵抗を最小限に抑え、且つ静電容量を最大化するように、横断面及び長さがサイズ決めされ、密度が配分される、請求項１４のコンデンサ。
【請求項２２】
層状アルミニウム電解コンデンサ（２６５）において、
向い合う主要陽極層表面（１８６、１８８）と前記向い合う主要表面の周縁部の周りの陽極層縁部とを有し、陽極シートの一部分まで伸長する孔（１９２）を形成することによって表面積を増すようにエッチングされた少なくとも第１、第２、第３の陽極シート（１９０ａ、１９０ｂ、１８５’）から形成された陽極層（１７０）であって、各前記第１、第２、第３のエッチング陽極シート（１９０ａ、１９０ｂ、１８５’）が、陽極シート縁部及び陽極シート厚によって境界を画された第１及び第２の向い合う主要陽極シート表面（１８６、１８８）を有し、前記第１及び第２のエッチング陽極シート（１９０ａ、１９０ｂ）が、前記第１及び第２のエッチング陽極シートの前記陽極シート厚を通り、その前記第１及び第２の向い合う主要表面（１８６、１８８）の間で伸長するように穴あけされた複数のスルーホール（２０２）を有し、前記第３のエッチング陽極シート（１８５’）が前記第１及び第２のエッチング陽極シート（１９０ａ、１９０ｂ）の間に配置される陽極層（１７０）と、
前記第１、第２、第３のエッチング陽極シート（１９０ａ、１９０ｂ、１８５’）の前記孔（１９２）と前記第１及び第２の陽極シート（１９０ａ、１９０ｂ）のスルーホールとの露出した表面を覆う酸化物層と、
陰極層（１７５）と、
前記陽極層（１７０）と前記陰極層（１７５）の間で位置決めされたセパレータ層（１８０）と、
電解質と、を含むことを特徴とする層状アルミニウム電解コンデンサ。
【請求項２３】
複数の陽極層、陰極層、及びセパレータ層は、積み重ねられて、電気結合された前記陽極層及び電気結合された前記陰極層を有する電極積重ねアセンブリを形成する請求項２２のコンデンサ。
【請求項２４】
前記電極積重ねアセンブリ及び前記電解質を封入するためのケース内部室を有するコンデンサ・ケースと、
前記結合された陽極層から前記ハウジング外部の陽極接続端子に延びる陽極電気接点と、
前記結合された陰極層から前記ハウジング外部に延びる陰極電気接点とを更に含む、請求項２３のコンデンサ。
【請求項２５】
前記複数のスルーホールは、比較的均一な距離だけ互いに離間される請求項２２のコンデンサ。
【請求項２６】
前記金属陽極シートはアルミニウム箔を含む請求項２２のコンデンサ。
【請求項２７】
前記複数のスルーホールは、パンチング、機械的穴あけ、及びレーザ穿孔から選択されたグループの１つによって形成される請求項２２のコンデンサ。
【請求項２８】
前記スルーホールは、等価直列抵抗を最小限に抑え、且つ静電容量を最大化するように、横断面及び長さがサイズ決めされ、密度が配分される、請求項２２のコンデンサ。
【請求項２９】
電解コンデンサ内で使用するための陽極層を作製する方法であって、
（ａ）薄い金属陽極箔を用意するステップ、
（ｂ）前記薄い金属陽極箔をエッチングして薄い金属陽極箔の一部分を伸長する孔（１９２）を形成し、それによって表面積を増すエッチング陽極箔（１８５／１９０）を形成するステップ、
（ｃ）前記エッチング陽極箔を切り分け、陽極シート縁部及び陽極シート厚によって境界を画された第１及び第２の向い合う主要表面（１８６、１８８）をそれぞれが有する第１、第２、第３のエッチング陽極シート（１９０ａ、１９０ｂ、１８５’）を提供するステップ、
（ｄ）前記第１及び第２の向い合う主要表面（１８６、１８８）の間で前記第１及び第２のエッチング陽極シート（１９０ａ、１９０ｂ）の陽極シート厚を通り伸長する複数のスルーホール（２０２）を形成するステップ、
（ｅ）前記第１及び第２のエッチング陽極シート（１９０ａ、１９０ｂ）の孔（１９２）及びスルーホール（２０２）の表面と、前記第２のエッチング陽極シート（１８５’）の孔表面とを覆う酸化物層を形成するステップ、及び、
（ｆ）前記第１、第２、第３のエッチング陽極シート（１９０ａ、１９０ｂ、１８５’）を、前記第１及び第２のエッチング陽極シート（１９０ａ、１９０ｂ）の間で第３のエッチング陽極シート（１８５’）が組み立てられた陽極層（１７０）の形に組み立てるステップを含むことを特徴とする方法。
【請求項３０】
前記金属箔を用意するステップはアルミニウム箔を用意するステップを含む請求項２９の方法。
【請求項３１】
前記切り分けるステップ（ｃ）は第４及び第５のエッチング陽極シートを切り分けることを更に含み、
前記形成するステップ（ｄ）は前記第４及び第５のエッチング陽極シートの前記陽極シート厚を介して、前記第１及び第２の向い合う主要表面の間で伸長する複数のスルーホールを形成するステップを更に含み、
前記形成するステップ（ｅ）は前記第４及び第５のエッチング陽極シートの孔及びスルーホール表面を覆う酸化物層を形成するステップを含み、
前記組み立てるステップ（ｆ）は前記第１及び第２のエッチング陽極シートの第２の主要表面に対する前記第４及び第５のエッチング陽極シートの第１の主要表面を、前記第１及び第４のエッチング陽極シートと前記第２及び第５のエッチング陽極シートとの間で第３のエッチング陽極シートが組み立てられた陽極層の形に組み立てるステップをを含む、請求項２９の方法。